(57)【要約】      （修正有）【課題】ストレス社会と呼ばれる現在にあって、頭部の疲労は大変なものである。この疲労を除去する手段として、頭部のマッサージをして血行を良くして疲労物質を除去する、入浴をして洗髪し、清潔感を得て気分をスッキリする、森林浴に出かけて新鮮な大気に包まれ身も心も癒す、酸素供給室（有料）に入室休憩し、森林浴気分を味わう等がある。これらの頭部疲労除去手段はそれなりの効果を挙げるが手間暇がかかる。手間暇が掛からない、しかも場所を選ばずに何処でも使用できる頭部のリフレッシュ用具を提供するものである。【解決手段】通気性が無いか、通気性が低い材質で製作された頭部のキャップ１０と頭部のリフレッシュに役立つ気体２１が充填された容器２０の組合わせからなる頭部のリフレッシュ用具。【選択図】図１
0003116002.tif 000002
【実用新案登録請求の範囲】
【請求項１】
通気性が無いか、通気性が低い材質で製作された頭部のキャップ１０と頭部のリフレッシュに役立つ気体２１が充填された容器２０の組合わせからなる頭部のリフレッシュ用具。
【請求項２】
容器２０がエアゾール缶、または頭部のキャップ１０内に収容できる大きさのプラスチック製の袋である請求項１に記載の頭部のリフレッシュ用具。
【考案の詳細な説明】
【技術分野】
【０００１】
本考案は、頭部のリフレッシュに用いる用具に関する。
【背景技術】
【０００２】
ストレス社会と呼ばれる現在にあって、頭部の疲労は大変なものである。この疲労を除去する手段として、頭部のマッサージをして血行を良くして疲労物質を除去する、入浴をして洗髪し、清潔感を得て気分をスッキリする、森林浴に出かけて新鮮な大気に包まれ身も心も癒す、酸素供給室（有料）に入室休憩し、森林浴気分を味わう等がある。これらの頭部疲労除去手段はそれなりの効果を挙げるが手間暇がかかる。では手間暇を掛けずに簡単に得られる頭部疲労除去手段はというと、これがないのが現状である。  
【特許文献１】なし
【非特許文献１】なし
【考案の開示】
【考案が解決しようとする課題】
【０００３】
従来の手間暇掛かる頭部疲労除去手段とは異なり、手間暇の掛からない、しかも場所を選ばずに何処でも使用できる頭部のリフレッシュ用具を提供するものである。
【課題を解決するための手段】
【０００４】
そこで本考案者は、このような現状に鑑み、上記の問題点を解決すべく、いろいろと研究を行った結果、頭部のキャップと頭部のリフレッシュに役立つ気体が充填された容器を1セットに組合わせて頭部のリフレッシュ用具を完成させ、これを身近に置き、また自身が移動する時には、これを携行することにより、頭部の疲労を除去したい時に手間暇を掛けずに簡単に使えるようにしたものである。  即ち本願考案に係る頭部のリフレッシュ用具は、（１）通気性が無いか、通気性が低い材質で製作された頭部のキャップ１０と頭部のリフレッシュに役立つ気体２１が充填された容器２０の組合わせからなる頭部のリフレッシュ用具、（２）容器２０がエアゾール缶、または頭部のキャップ１０内に収容できる大きさのプラスチック製の袋である前項（１）に記載の頭部のリフレッシュ用具である。
【考案の効果】
【０００５】
本願考案の頭部のリフレッシュ用具は、軽量で嵩も低く持ち運びが便利で、その使用法も極めて簡単であり、頭部のリフレッシュを手間暇を掛けずに、しかも場所を選ばずに何処でも使用できるという大変優れたものである。
【考案を実施するための最良の形態】
【０００６】
以下本願考案を完成する上での基本的な事項について説明する。頭部のキャップ１０は頭にかぶり、頭とキャップの内側に空間部を設け、この空間部に頭部のリフレッシュに役立つ気体２１を入れ、頭の地肌および毛髪に気体２１を接触させるためのものである。従って前記の気体２１がキャップ内側にしばらくは存在する必要があるため、頭部のキャップ２０の材質は通気性がないか、通気性が低いものがよく、この条件さえ満たされればプラスチック製、紙製、布製等、その材質は問わないが、例えばシャワーキャップ（シャワーを浴びる際に毛髪に湯水が掛からないように頭にかぶるキャップ）のようなものが安価で良い。
【０００７】
頭部のリフレッシュに役立つ気体２１は酸素が最も代表的で、その他には新鮮な大気が良い。森林浴の出来るような場所から採取した大気、例えば尾瀬、屋久島で採取した大気や北海道富良野のラベンダー畑から採取したラベンダーの香り豊かな大気などは多くの人から喜ばれるに違いない。神社の境内や神殿から採取した大気は、霊験あらたかな大気としてありがたがられ、各神社からの提供が考えられる。
【０００８】
上記の頭部のリフレッシュに役立つ気体２１を収容する容器２０は一つはエアゾール缶であり、今一つは頭部のキャップ１０内に収容できる大きさのプラスチック製の袋である。エアゾール缶は一般に芳香剤、消臭剤、殺虫剤等を入れるための耐圧スプレー容器であり、同様の缶に頭部のリフレッシュに役立つ気体２１を充填して使用する。
【０００９】
頭部のキャップ１０内に収容できる大きさのプラスチック製の袋は気体２１の浸透性を考慮してフイルムを選択すればよく、ラミネートフィルムなどを用いて対応することもできる。また気体２１（例えば酸素）を充填した袋をこの袋より大き目の袋に入れ、外袋には空気３１を充填する形で開口部をシールすれば二重包装になり、内袋の酸素は外袋の空気圧で常時圧迫されているので内袋の酸素の透過が防げる。使用時には外袋を外して内袋のみの使用とする。上記の場合に外袋にポプリ３２（芳香を楽しむため、乾燥した花や香料を混ぜ合わせたもの）をいれておくと外袋の空気３１に芳香がつき、芳香つきの空気３１となっているので、この場合には両袋ともに使用する。ポプリ３２を酸素の入った内袋に入れ、酸素と共存させない理由は、ポプリ３２などの芳香成分は酸素の濃度の高いところに長期間保存されていると酸化され、変臭してしまうことがあるので、酸素とは別の、空気を充填した外袋に入れるのが好ましいからである。
【００１０】
容器２０のうちエアゾール缶については特に説明することはないが、頭部のキャップ１０内に収容できる大きさのプラスチック製の袋に関しては、袋に充填された頭部のリフレッシュに役立つ気体２１の取り出し口について説明しておく。袋の任意の箇所に小孔を設け、この小孔には、粘着剤付き小孔閉鎖ラベルまたは小孔閉鎖テープが貼り付けられている。この粘着剤付き小孔閉鎖テープを剥がせば小孔が現れて、頭部のリフレッシュに役立つ気体２１の取り出し口となる。この取り出し口の設けられていない袋の場合には、はさみ等の切断道具を使って前記気体２１の取り出し口を設けることとなる。
【００１１】
次に実施例をあげて説明する。  なお、「通気性がないか、通気性が低い材質で製作された頭部のキャップ１０」を以下単に「頭部のキャップ１０」といい、「頭部のリフレッシュに役立つ気体２１が充填された容器２０」を以下単に「気体２１が充填された容器２０」という。
【実施例１】
【００１２】
図１を参照しながら説明する。  図１は本願考案に係る頭部のリフレッシュ用具の使用形態を説明する概略説明図である。  ポリエチレンフイルム製のシャワーキャップ状の頭部のキャップ１０を用意する。この頭部のキャップ１０の開口部周辺にはゴム紐１１が設けてある。  次に酸素の充填されたエアゾール缶を気体２１が充填された容器２０として用意する。このエアゾール缶には気体２１の噴射口となるチューブ２２が設けてある。
【００１３】
上記した頭部のキャップ１０を３個および容器２０を一個用意し、これらを箱ケースに組合せて収容し、頭部のリフレッシュ用具とした。  なお、この頭部のリフレッシュ用具の使用は図１に示すように、頭部のキャップ１０を頭にかぶり、頭部のキャップ１０の開口部と頭の間に容器２０に設けられたチューブ２２を差し込んで頭部のキャップ１０内に気体２１を噴出させ、頭部のキャップ１０と頭の空間に気体２１を存在させ約１０分間放置し、その間リラックス状態で頭を休める。
【実施例２】
【００１４】
図２を参照しながら説明する。  図２は本願考案に係る頭部のリフレッシュ用具の斜視図、図３は図２の頭部のリフレッシュ用具の使用状態を説明する概略説明図である。  ポリエチレンフイルム製の透明袋（７０ｍｍｘ１００ｍｍ）に頭部のリフレッシュに役立つ気体２１として酸素を封入した気体２１が充填された容器２０を用意する。この容器２０の四隅の一角には使用に際して、気体２１を袋外へ放出するための開口を設けるための鋏を入れる位置を示すラベル２３が貼られている。次に実施例１で使用した頭部のキャップ１０と同じ頭部のキャップ１０を用意し、この頭部のキャップ１０を約４０ｍｍ巾に折畳み、続いてこれを巻き取って円柱状とし、これに帯封１２を掛けて、頭部のキャップ１０の嵩を小さくした。
【００１５】
上記の気体２１が充填された容器２０と頭部のキャップ１０を包装するためのポリエチレンフイルム製の透明袋（８０ｍｍｘ１４０ｍｍ）を用意し、これを包装袋３０とした。この包装袋３０に気体２１が充填された容器２０と頭部のキャップ１０とを収容し、この包装袋３０に空気３１が入って膨らんだ状態で開口部をヒートシールし、ヒートシール部３３を設け、頭部のリフレッシュ用具とした。
【００１６】
なお、この頭部のリフレッシュ用具の使用は次のとおりである。包装袋３０には空気３１が入って膨らんだ状態である。この状態は気体２１が充填された容器２０を包装していて、容器２０を圧力のかかった空気３１で覆っているため、容器２０内の気体２１が容器２０、即ちポリエチレンフイルム製袋から透過するのを防止する役目を担っているが、容器２０の外圧が直接かかるのを防止して、保存中や輸送中に容器２０が破壊するのを防止する役目もしている。
【００１７】
使用に際しては包装袋３０を開口して、気体２１が充填された容器２０と頭部のキャップ１０を取り出す。先ず、頭部のキャップ１０の帯封１２をはずし、頭部のキャップ１０を広げて、その開口部を上にしてテーブル等の適当なところに置き、次に気体２１が充填された容器２０のラベル２３のところを左手の親指と人差し指で容器２０の両側面から挟みつけて持ち、ラベル２３に表示された切り取り線上を右手に持った鋏で切り、容器２０の一角に開口部２４を設ける。この時、容器２０の両側面から容器２０を挟みつけている親指と人差し指で、開口部を閉じているので気体２１は漏れない。この状態で気体２１が充填された容器２０を前もって準備した頭部のキャップ１０の開口部から入れて、この時点で容器２０を挟みつけていた親指と人差し指を離し、今度は両手で頭部のキャップ１０の開口部を拡げるように持つと同時に、頭を下げて頭部のキャップ１０の開口部に近付け、素早く頭部のキャップ１０を頭にかぶる。そうすることによって気体２１が充填された容器２０が頭の上に置かれ、この容器２０を頭にかぶった頭部のキャップ１０が覆う状態を作りだす。つづいて、頭部のキャップ１０の上から、手で容器２０を押圧すると容器２０内の気体２１が容器２０の開口部２４から吹き出して、頭部のキャップ１０と頭の空間に気体２１を存在させるので約１０分間放置し、その間リラックス状態で頭を休める。
【実施例３】
【００１８】
図４を参照しながら説明する。  図４は本願考案に係る頭部のリフレッシュ用具の斜視図である。  ポリエチレンフイルム製の透明袋（７０ｍｍｘ１００ｍｍ）に頭部のリフレッシュに役立つ気体２１として酸素を封入した気体２１が充填された容器２０を用意する。この容器２０の四隅の一角には使用に際して、気体２１を袋外へ放出するための開口部２４を設けるための鋏を入れる位置を示すラベル２３が貼られている。  次に実施例１で使用した頭部のキャップ１０と同じ頭部のキャップ１０を用意し、この頭部のキャップ１０を約４０ｍｍ巾に折り畳み、つづいてこれを巻取って円柱状とし、これに帯封１２を掛けて、頭部のキャップ１０の嵩を小さくした。
【００１９】
上記の気体２１が充填された容器２０と頭部のキャップ１０を包装するためのポリエチレンフイルム製の透明袋（８０ｍｍｘ１６０ｍｍ）を用意し、これを包装袋３０とした。この包装袋３０に気体２１が充填された容器２０とさらに、ラベンダーの香りを主体としたポプリ３２（３個）を収容し、気体２１が充填された容器２０を少し越えた部分で、かつ、包装袋３０に空気３１が入って膨らんだ状態で開口部にヒートシール部３３を設ける。この包装袋３０の残る収容部に前記した帯封１２の掛けられた頭部のキャップ１０を収容して、包装袋３０の先端部を折り返して粘着テープ３４で封緘をして頭部のリフレッシュ用具とした。
【００２０】
なお、この頭部のリフレッシュ用具の使用は次のとおりである。容器２０の気体２１は酸素である。通常の場合、高濃度の酸素に香料を長時間接触させると香料は酸化され、本来の香りを失う。本願考案の場合、酸素を入れた容器２０とラベンダーの香りを主体としたポプリ３２（３個）と空気３１を封入した包装袋３０は隔離されており、容器２０の酸素と包装袋３０内のラベンダーの香りの付いた空気３１は一緒にならないので、包装袋３０のラベンダーの香りのする空気３１は容器２０の酸素の影響を受けないことを説明しておく。なお、空気中の酸素濃度では香り成分の酸化に影響はない。
【００２１】
さて、頭部のリフレッシュ用具の使用についてであるが、先ず包装袋３０の上端部に収容されている頭部のキャップ１０を取り出して、帯封１２をとり、折り畳まれている頭部のキャップ１０を拡げて開口部を上にしてテーブルの上に置く。次に気体２１（酸素）が充填された容器２０が包装袋３０の中に入っているが容器２０が包装袋３０より若干小さいので容器２０のラベル２３の貼られた隅部を包装袋３０の隅部に袋の中で移動させ、この隅部を左手の親指と人差し指で包装袋３０の両側面から挟みつけて持ち、ラベル２３に表示された切り取り線（包装袋３０の上から透けて見える）上を右手に持った鋏で切り、包装袋３０の一角および容器２０の一角に開口部を設ける。この時包装袋３０の両側面から包装袋３０および容器２０を挟みつけている親指と人差し指で、包装袋３０の開口部および容器２０の開口部を閉じているので気体２１（酸素）もラベンダーの香りのついた空気３１も漏れない。この状態で気体２１（酸素）が充填された容器２０とラベンダーの香りのついた空気３１の封入された包装袋３０を前もって準備した頭部のキャップ１０の開口部から入れて、この時点で包装袋３０と容器２０を挟みつけていた親指と人差し指を離し、今度は両手で頭部のキャップ１０の開口部を拡げるように持つと同時に、頭を下げて頭部のキャップ１０の開口部に近付け、素早く頭部のキャップ１０をかぶる。そうすることによって気体２１が充填された容器２０とラベンダーの香りをする空気３１が入った包装袋３０が頭の上に置かれ、この容器２０を頭にかぶった頭部のキャップ１０が覆う状態を作り出す。つづいて、頭部のキャップ１０の上から、手で包装袋３０および容器２０を押圧すると容器２０内の気体２１(酸素)が容器２０の開口部から、ラベンダーの香りのする空気３１が包装袋３０の開口部から吹き出して、頭部のキャップ１０と頭の空間に気体２１（酸素）とラベンダーの香りのする空気３１を存在させるので約１０分放置し、その間リラックス状態で頭を休める。頭部のキャップ１０を脱ぐと頭部からしばらくの間ラベンダーの香りがし、さわやかな気分が楽しめる。なお、頭部のキャップ１０をかぶっていた１０分間は短時間なのでラベンダーの香りのする空気３１は気体２１（酸素）の影響を受けない。
【実施例４】
【００２２】
実施例２でポリエチレンフイルム製の透明袋（７０ｍｍｘ１００ｍｍ）に頭部のリフレッシュに役立つ気体２１として酸素を封入した気体２１が充填された容器２０を用意したが、実施例４では頭部のリフレッシュに役立つ気体２１として上記酸素に代えて兵庫県箕面市の箕面公園箕面の滝で採取した大気とした他は、実施例２と同一の構成の頭部のリフレッシュ用具とした。
【００２３】
なお、この頭部のリフレッシュ用具の使用は実施例２の頭部のリフレッシュ用具の使用と一緒である。
【産業上の利用可能性】
【００２４】
本願考案は頭部のリフレッシュ用具を製造、販売および使用する産業分野で利用することが出来る。即ち頭部のキャップ１０の製造、販売分野、酸素、新鮮な大気等のガス製造、販売分野、容器２０の製造、販売分野、頭部のリフレッシュ用具を使用する理美容院等で利用することができる。
【図面の簡単な説明】
【００２５】
【図１】本願考案に係る頭部のリフレッシュ用具の使用形態を説明する概略説明図である。
【図２】本願考案に係る頭部のリフレッシュ用具の斜視図である。
【図３】図２の頭部のリフレッシュ用具の使用状態を説明する概略説明図である。
【図４】本願考案に係る頭部のリフレッシュ用具の斜視図である。
【符号の説明】
【００２６】
１０  頭部のキャップ１１  ゴム紐１２  帯封２０  容器２１  気体２２  チューブ２３  ラベル２４  開口部３０  包装袋３１  空気３２  ポプリ３３  ヒートシール部３４  粘着テープ
【図１】
0003116002.tif 000003
【図２】
0003116002.tif 000004
【図３】
0003116002.tif 000005
【図４】
0003116002.tif 000006